(57)【要約】【課題】リモートコントローラの取付構造において、装置を小型軽量化すると共に取付けを簡素化し、また、がたつきを抑制して品質精度の向上を図る。【解決手段】リモートコントローラ本体１２に係止孔６２を設ける一方、取付金具１１に係止孔６２に対して一方側から挿入可能な係止突起２５を設けると共に、カバー１３に係止孔６２に対して他方側から挿入可能な係止突起７５を設け、係止孔６２に対して係止突起２５を挿入させて係止することによりリモートコントローラ本体１２が取付金具１１に取付けられ、係止孔６２に係止突起７５を挿入させて係止することによりカバー１３が取付金具１１に取付けられる。【選択図】図２
2010278998.tif 000002
【特許請求の範囲】
【請求項１】
表面部に機器を遠隔操作する操作部が設けられるリモートコントローラ本体と、
該リモートコントローラ本体を被覆するカバーと、
取付部に固定されて前記リモートコントローラ本体及び前記カバーを保持する取付金具と、を備えるリモートコントローラの取付構造において、
前記リモートコントローラ本体に係止孔が設けられる一方、
前記取付金具に前記係止孔に対して一方側から挿入可能な第１係止部が設けられると共に、
前記カバーに前記係止孔に対して他方側から挿入可能な第２係止部が設けられ、
前記係止孔に前記第１係止部を挿入させて係止することにより前記リモートコントローラ本体が前記取付金具に取付けられ、
前記係止孔に前記第２係止部を挿入させて係止することにより前記カバーが前記取付金具または前記リモートコントローラ本体に取付けられる、
ことを特徴とするリモートコントローラの取付構造。
【請求項２】
前記第１係止部は、前記係止孔に挿入されて前記リモートコントローラ本体に係止することで、該リモートコントローラ本体が前記取付金具に保持され、前記第２係止部は、前記係止孔に挿入されて前記第１係止部に係止することで、前記カバーが前記取付金具に保持されることを特徴とする請求項１に記載のリモートコントローラの取付構造。
【請求項３】
前記第１係止部及び前記第２係止部は、前記係止孔に対して隙間なく嵌合することを特徴とする請求項１または２に記載のリモートコントローラの取付構造。
【請求項４】
前記第１係止部は、前記係止孔に挿入された後に前記リモートコントローラ本体との間でこの挿入方向と交差する方向に相対移動することで、該リモートコントローラ本体に係止し、前記第２係止部が前記係止孔に挿入されることで、前記第１係止部に対する前記リモートコントローラ本体の相対移動が阻止されることを特徴とする請求項２または３に記載のリモートコントローラの取付構造。
【請求項５】
前記第２係止部は、先細形状をなし、前記係止孔に挿入されるときに弾性変形して前記１係止部に係止可能とすることを特徴とする請求項２から４のいずれか一つに記載のリモートコントローラの取付構造。
【請求項６】
前記リモートコントローラ本体は、回路基板が前側ケースと後側ケースに挟持されることで構成され、前記係止孔は、少なくとも前記前側ケースと前記後側ケースを貫通して形成されることを特徴とする請求項１から５のいずれか一つに記載のリモートコントローラの取付構造。
【発明の詳細な説明】
【技術分野】
【０００１】
本発明は、機器を遠隔から操作可能であって、取付金具を用いて壁などの取付部に取付けられるリモートコントローラの取付構造に関するものである。
【背景技術】
【０００２】
例えば、家庭で使用される給湯機は、給湯器本体を遠隔で操作するためのリモートコントローラ（リモコン）が設けられている。このリモートコントローラは、一般的に、壁における所定の位置に着脱自在に取付けられている。
【０００３】
従来のリモートコントローラの取付構造としては、下記特許文献１，２に記載されたものがある。特許文献１に記載されたリモコン取付装置は、壁にリモコンケースを取付用ビスで取付け、リモコンをこのリモコンケース内に収容し、リモコンケースの爪部がリモコンの窪み部に係合することでロックされ、リモコンケースにリモコン枠を被せ、リモコン枠の爪部をリモコンケースのフランジ部に設けられた角穴に係合することで、このリモコン枠を取付けるものである。
【０００４】
また、特許文献２に記載されたリモコンの取付方法は、スイッチボックスまたは壁に取付金具を取付ねじにより取付け、リモコン本体の切欠きを取付金具の爪部に挿入した後、このリモコン本体を下方向に押し下げることにより、取付金具の爪部の凹部と後面ケースの肉厚部分で嵌合して固定されるものである。
【先行技術文献】
【特許文献】
【０００５】
【特許文献１】特開平０６−２９２２８３号公報
【特許文献２】特開２０００−２０９６８５号公報
【発明の概要】
【発明が解決しようとする課題】
【０００６】
ところが、上述した特許文献１のリモコン取付装置にあっては、壁に取付けられたリモコンケースにリモコンを収容して爪部によりロックし、リモコンケースにリモコン枠を被せて再び爪部によりロックして取付けている。この場合、リモコンは、下部の窪み部にリモコンケースの爪部が係合してロックされるだけであり、所定の重量があるリモコンをがたつきなく保持することは困難である。また、このリモコン及びリモコン枠は、爪部によりリモコンケースにロックされることから、爪部等の寸法精度がばらついたときには、がたつきが発生して品質が低下してしまう。
【０００７】
また、特許文献２に記載されたリモコンの取付方法にあっては、スイッチボックスまたは壁に取付けられた取付金具の爪部にリモコン本体の切欠きを挿入した後、下方向に押し下げることで、爪部の凹部と後面ケースの肉厚部分を嵌合して固定している。この場合、リモコン本体は、後側ケースのみが取付金具に取付けられているため、操作用のボタンがある前側ケースを、後側ケースに対して多数の取付ねじにより強固に固定する必要があり、構造が複雑化して装置の大型化や重量化を招くと共に、コストが増加してしまう。また、リモコン本体を覆うケースカバーは、突起等によりリモコン本体に取付けられていることから、突起等の寸法精度がばらついたときには、がたつきが発生して品質が低下してしまう。
【０００８】
本発明は、上記に鑑みてなされたものであって、装置を小型軽量化すると共に取付けを簡素化し、また、がたつきを抑制して品質精度の向上を図るリモートコントローラの取付構造を提供することを目的とする。
【課題を解決するための手段】
【０００９】
上述した課題を解決し、目的を達成するために、本発明のリモートコントローラの取付構造は、表面部に機器を遠隔操作する操作部が設けられるリモートコントローラ本体と、該リモートコントローラ本体を被覆するカバーと、取付部に固定されて前記リモートコントローラ本体及び前記カバーを保持する取付金具と、を備えるリモートコントローラの取付構造において、前記リモートコントローラ本体に係止孔が設けられる一方、前記取付金具に前記係止孔に対して一方側から挿入可能な第１係止部が設けられると共に、前記カバーに前記係止孔に対して他方側から挿入可能な第２係止部が設けられ、前記係止孔に前記第１係止部を挿入させて係止することにより前記リモートコントローラ本体が前記取付金具に取付けられ、前記係止孔に前記第２係止部を挿入させて係止することにより前記カバーが前記取付金具または前記リモートコントローラ本体に取付けられる、ことを特徴とする。
【発明の効果】
【００１０】
本発明のリモートコントローラの取付構造によれば、リモートコントローラ本体の係止孔に取付金具の第１係止部を挿入して係止することによりリモートコントローラ本体を取付金具に取付け、係止孔にカバーの第２係止部を挿入して係止することによりカバーを取付金具またはリモートコントローラ本体に取付けている。従って、装置を小型軽量化することができると共に取付けを簡素化することができ、また、がたつきを抑制して品質精度の向上を図ることができる。
【図面の簡単な説明】
【００１１】
【図１】図１は、本発明の一実施の形態に係るリモートコントローラの取付構造を表す概略構成図である。
【図２】図２は、本実施の形態のリモートコントローラの取付構造を表す図１のII−II断面図である。
【図３】図３は、本実施の形態のリモートコントローラの取付構造を表す分解概略図である。
【図４】図４は、本実施の形態のリモートコントローラの取付構造におけるカバーを表す斜視図である。
【図５】図５は、本実施の形態のリモートコントローラの取付方法を表す概略断面図である。
【図６】図６は、本実施の形態のリモートコントローラの取付方法を表す概略断面図である。
【発明を実施するための形態】
【００１２】
以下に、本発明に係るリモートコントローラの取付構造の実施の形態を図面に基づいて詳細に説明する。なお、この実施の形態によりこの発明が限定されるものではない。
【００１３】
実施の形態.
図１は、本発明の一実施の形態に係るリモートコントローラの取付構造を表す概略構成図、図２は、本実施の形態のリモートコントローラの取付構造を表す図１のII−II断面図、図３は、本実施の形態のリモートコントローラの取付構造を表す分解概略図、図４は、本実施の形態のリモートコントローラの取付構造におけるカバーを表す斜視図、図５及び図６は、本実施の形態のリモートコントローラの取付方法を表す概略断面図である。
【００１４】
本実施の形態におけるリモートコントローラの取付構造は、図１乃至図４に示すように、取付金具１１に対して、リモートコントローラ本体１２とカバー１３とが取付けられて構成されている。そして、リモートコントローラ本体１２は、前側ケース１４と後側ケース１５とこの前後のケース１４，１５に挟持される回路基板１６により構成されている。
【００１５】
取付金具１１は、平板の四角形状をなす金具本体２１の中央部に貫通孔２２が形成されたリング形状をなし、貫通孔２２の上下に位置して、取付ねじ２３が貫通する取付孔２４がそれぞれ形成されている。また、取付金具１１は、金具本体２１の左右端部に位置して第１係止部としての４つの係止突起２５が一体に設けられている。この各係止突起２５は、先端部に上方を向く係止爪２５ａが形成されると共に、中間部の下面に位置して係止凹部２５ｂが形成されている。
【００１６】
従って、取付金具１１は、２本の取付ねじ２３により取付部としての縦壁部１００に固定される。そして、４つの係止突起２５により、リモートコントローラ本体１２と、カバー１３を保持することができる。
【００１７】
リモートコントローラ本体１２は、上述したように、前側ケース１４と後側ケース１５と回路基板１６により構成されている。前側ケース１４は、平板の四角形状をなす前面部３１の周囲に全周フランジ３２が一体に形成されてなる。そして、前側ケース１４は、中央部に透明部３３が形成されると共に、この透明部３３の下方に複数の操作ボタン３４が設けられている。この複数の操作ボタン３４が機器（例えば、給湯器）を遠隔操作する操作部として機能する。また、前側ケース１４は、前面部３１の左右端部に位置して４つの貫通孔３５が設けられている。更に、前側ケース１４は、全周フランジ３２の端部に全周に連結リブ３６が形成されている。
【００１８】
後側ケース１５は、前側ケース１４と同様に平板の四角形状をなす後面部４１の周囲に全周フランジ４２が一体に形成されてなる。この場合、前側ケース１４は後方に向かって全周フランジ３２が形成されるが、後側ケース１５は、前方に向かって全周フランジ４２が形成される。即ち、前側ケース１４の全周フランジ３２と、後側ケース１５の全周フランジ４２は、互いの方向に向かって延出され、対向して設けられている。そして、後側ケース１５は、中央部に基板支持部４３が形成されると共に、後面部４１の左右端部に位置して４つの貫通孔４４が設けられている。更に、後側ケース１５は、全周フランジ４２の端部に全周に連結用凹部４５が形成されている。
【００１９】
回路基板１６は、平板の四角形状をなし、中央部に液晶などで形成される表示部５１が形成されると共に、この表示部５１の下方に複数の操作ボタン３４に対応して複数の端子５２が設けられている。
【００２０】
この場合、前側ケース１４と後側ケース１５は、ほぼ同形状をなし、回路基板１６を挟んで重なったとき、全周の連結リブ３６が全周の連結用凹４５に嵌入することで位置決めがなされ、後側ケース１５側から固定ねじ６１が回路基板１６を貫通し、先端部が前側ケース１４に螺合することで、前側ケース１４と回路基板１６と後側ケース１５が一体に連結される。このとき、前後のケース１４，１５の各貫通孔３５，４４が直線上に配列される。そして、各貫通孔３５，４４は、前面部３１及び後面部４１から一体に形成された円筒フランジにより形成され、各貫通孔３５，４４が連続することで、係止孔６２が構成される。
【００２１】
カバー１３は、平板の四角形状をなすカバー本体７１の周囲にカバー側部７２が全周フランジとして一体に形成されてなる。そして、カバー１３は、中央部に透明部３３を介して表示部５１を露出する開口部７３が形成されると共に、この開口部７３の下方に使用頻度の少ない操作ボタン３４を隠すための開閉蓋７４が設けられている。また、取付金具１１は、金具本体２１の左右端部に位置して第２係止部としての４つの係止突起７５が一体に設けられている。この係止突起７５は、先細形状をなし、基端部にリモートコントローラ本体１２の前側ケース１４に当接する位置決め段部７５ａが形成されると共に、先端部に上方を向いて弾性変形可能な係止爪７５ｂが形成されている。このカバー１３は、リモートコントローラ本体１２を被覆可能となっており、特に外周面の凹凸を隠すことで、外観品質を向上させている。
【００２２】
ここで、本実施の形態におけるリモートコントローラの取付構造を用いた取付金具１１、リモートコントローラ本体１２、カバー１３の取付方法について説明する。
【００２３】
図５に示すように、縦壁部１００における所定の位置に取付金具１１を配置し、２本の取付ねじ２３によりこの取付金具１１を縦壁部１００に固定する。このとき、縦壁部１００に固定された取付金具１１から４つの係止突起２５が立設される。
【００２４】
一方、前側ケース１４と後側ケース１５との間に回路基板１６を挟み、全周の連結リブ３６が全周の連結用凹４５に嵌入することで位置決めし、固定ねじ６１を後側ケース１５側から回路基板１６を貫通させ、前側ケース１４に螺合することで、前側ケース１４と回路基板１６と後側ケース１５を一体に連結し、リモートコントローラ本体１２を構成する。このとき、前後のケース１４，１５の各貫通孔３５，４４が直線上に配列されることで、４つの係止孔６２が形成される。この場合、回路基板１６は、各係止孔６２より内側に位置することとなる。
【００２５】
そして、縦壁部１００に固定された取付金具１１に対して、リモートコントローラ本体１２を装着する。即ち、取付金具１１の各係止突起２５に対して、リモートコントローラ本体１２の各係止孔６２を一方側から挿入させ、リモートコントローラ本体１２（後側ケース１５）を縦壁部１００に接触させる。そして、リモートコントローラ本体１２をその挿入方向とは交差する下方に移動することで、リモートコントローラ本体１２（前側ケース１４）を各係止突起２５の係止爪２５ａに係止させる。そのため、リモートコントローラ本体１２の係止孔６２に係止突起２５を挿入させて係止することにより、このリモートコントローラ本体１２が取付金具１１に取付けられる。
【００２６】
すると、図６に示すように、リモートコントローラ本体１２が各係止突起２５の係止爪２５ａに係止した状態で、各係止突起２５は、各係止孔６２の上方側に位置し、各係止孔６２の下方側に隙間が形成される。そして、この係止孔６２の下方側の隙間に対して、カバー１３の係止突起７５を他方側から挿入し、位置決め段部７５ａをリモートコントローラ本体１２（前側ケース１４）に当接させると共に、係止爪７５ｂを係止突起２５の係止凹部２５ｂに係止させる。そのため、係止突起７５により係止孔６２の下方側に隙間がなくなり、係止突起２５に対するリモートコントローラ本体１２の上方移動が阻止される。また、リモートコントローラ本体１２の係止孔６２に係止突起７５が係止することで、カバー１３が取付金具１１に取付けられる。
【００２７】
従って、取付金具１１の係止突起２５が、係止孔６２に挿入されてリモートコントローラ本体１２に係止することで、このリモートコントローラ本体１２は、取付金具１１に保持される。また、カバー１３の係止突起７５が、係止孔６２に挿入されて係止突起２５に係止することで、このカバー１３は、取付金具１１に保持される。
【００２８】
本実施の形態にて、係止孔６２の大きさは、各係止突起２５，７５を合わせた大きさとほぼ等しく設定されている。即ち、各係止突起２５，７５は、係止孔６２に対して隙間なく嵌合することで、取付金具１１とリモートコントローラ本体１２とカバー１３とが上下方向及び左右方向にがたつきなく取付けられることとなる。この場合、係止突起７５は、先細形状をなすことから、根本部分では、係止突起２５と共に係止孔６２に隙間なく嵌合するものの、先端部では、係止孔６２の下面との間に若干の隙間が形成される。そのため、リモートコントローラ本体１２の係止孔６２にカバー１３の係止突起７５を挿入すると、この係止突起２５は、先端部が下方に弾性変形しながら係止爪７５ｂが係止凹部２５ｂに係止する。
【００２９】
このように本実施の形態のリモートコントローラの取付構造にあっては、リモートコントローラ本体１２の係止孔６２に対して、取付金具１１の係止突起２５とカバー１３の係止突起７５を挿入して係止することで、リモートコントローラ本体１２とカバー１３を取付金具１１を介して縦壁部１００に取付けることができ、取付用のねじを減少して構造を簡素化することで、装置を小型軽量化することができると共に、取付けを簡素化することができる。また、リモートコントローラ本体１２の係止孔６２に取付金具１１の係止突起２５とカバー１３の係止突起７５が挿入して係止されることで、リモートコントローラ本体１２とカバー１３と取付金具１１との間のがたつきを抑制して品質精度の向上を図ることができる。
【００３０】
また、本実施の形態のリモートコントローラの取付構造では、係止突起２５を係止孔６２に挿入してリモートコントローラ本体１２に係止することで、このリモートコントローラ本体１２を取付金具１１に保持し、係止突起７５を係止孔６２に挿入して係止突起２５に係止することで、カバーを取付金具１１に保持している。従って、リモートコントローラ本体１２とカバー１３を取付金具１１に直接取り付けることとなり、がたつきを抑制して品質精度の向上を図ることができる。
【００３１】
また、本実施の形態のリモートコントローラの取付構造では、各係止突起２５，７５を、係止孔６２に対して隙間なく嵌合している。従って、取付金具１１とリモートコントローラ本体１２とカバー１３とを互いにがたつきなく、一体構造とすることができる。
【００３２】
また、本実施の形態のリモートコントローラの取付構造では、係止突起２５を係止孔６２に挿入した後、リモートコントローラ本体１２を挿入方向と交差する下方に移動することで、このリモートコントローラ本体１２を係止突起２５に係止し、係止突起７５を係止孔６２に挿入することで、係止突起２５に対するリモートコントローラ本体１２の移動が阻止される。従って、取付金具１１に対して、リモートコントローラ本体１２とカバー１３をがたつきなく適正に取付けることができる。
【００３３】
また、本実施の形態のリモートコントローラの取付構造では、係止突起７５にて、先細形状とし、係止孔６２に挿入されるときに弾性変形して係止突起２５に係止可能としている。従って、係止孔６２に対して各係止突起２５，７５を隙間なく嵌合することができると共に、係止突起７５を確実に係止突起２５に係止させることができる。
【００３４】
また、本実施の形態のリモートコントローラの取付構造では、前側ケース１４と後側ケース１５と回路基板１６が組み付けられた状態で、前側ケース１４の貫通孔３５と後側ケース１５の貫通孔４４が取付金具１１への取付方向に対して同一位置に設けられる係止孔６２となり、この係止孔６２に２つの係止突起２５，７５を挿入してリモートコントローラ本体１２とカバー１３を取付金具１１に取付けるため、リモートコントローラ本体１２を縦壁部１００に対してがたつきなく取付けることができる。
【００３５】
なお、本実施の形態では、前側ケース１４の貫通孔３５と後側ケース１５の貫通孔４４により係止孔６２を形成したが、回路基板１６に貫通孔を設けてもよい。また、前側ケース１４と回路基板１６と後側ケース１５とを固定ねじ６１を貫通させて一体に固定したが、回路基板１６は基板支持部４３により支持され、前側ケース１４と後側ケース１５は、連結ピン４５が連結孔３６に嵌入して位置決めされることから、この固定ねじ６１を省略してもよい。
【００３６】
また、上述した本実施形態は、この構成に限定されるものではない。例えば、係止突起７５を係止孔６２に挿入してリモートコントローラ本体１２に係止することで、カバー１３をリモートコントローラ本体１２を介して取付金具１１に取付けてもよい。また、係止突起７５を係止孔６２に挿入して取付金具１１の金具本体２１またはこの金具本体２１と一体の係止部に係止することで、カバー１３を取付金具１１に取付けてもよい。
【００３７】
また、上述した本実施形態では、まず、取付金具１１の係止突起２５に対して、リモートコントローラ本体１２の係止孔６２を挿入し、このリモートコントローラ本体１２をその挿入方向とは交差する下方に移動することで係止突起２５の係止爪２５ａに係止させ、次に、カバー１３の係止突起７５を係止孔６２における係止突起２５の下方に挿入したが、この構成に限定されるものではない。例えば、取付金具１１の係止突起２５に対して、リモートコントローラ本体１２の係止孔６２を挿入し、このリモートコントローラ本体１２をその挿入方向とは交差する上方（または、左方、右方、斜め方向など）に移動することで係止突起２５の係止爪２５ａに係止させ、次に、カバー１３の係止突起７５を係止孔６２における係止突起２５の上方（または、左方、右方、斜め方向など）に挿入してもよい。
【符号の説明】
【００３８】
１１  取付金具
１２  リモートコントローラ本体
１３  カバー
１４  前側ケース
１５  後側ケース
１６  回路基板
２３  取付ねじ
２５  係止突起（第１係止部）
２５ａ  係止爪
２５ｂ  係止凹部
３５  貫通孔
４４  貫通孔
５１  表示部
６１  固定ねじ
６２  係止孔
７５  係止突起（第２係止部）
７５ａ  位置決め段部
７５ｂ  係止爪
【図１】
2010278998.tif 000003
【図２】
2010278998.tif 000004
【図３】
2010278998.tif 000005
【図４】
2010278998.tif 000006
【図５】
2010278998.tif 000007
【図６】
2010278998.tif 000008